(57)【特許請求の範囲】
【請求項１】
板状のシートを組み立てることにより立体形状となる立体広告物であって、
前記立体広告物の前面を形成する前面部と、
前記前面部の一辺に連接して設けられ、前記立体広告物の背面を形成し、連接辺の延長方向と略垂直な方向の長さが前記前面部よりも短い背面部と、
前記前面部の前記背面部が設けられている辺とは反対側の辺から突出して設けられた突出部と、
前記背面部に設けられ、前記突出部が挿入される第１のスリット部と、
前記突出部の突出方向に沿った端辺を折り返して形成され、前記第１のスリット部から前記突出部が抜けることを防止する抜け止め部と、
前記第１のスリット部に挿入された前記突出部を、前記立体広告物の外部に出す第２のスリット部と、
前記第２のスリット部によって前記立体広告物の外部に出された前記突出部を、前記立体広告物の内部に収納する第３のスリット部とを備え、
当該立体広告物を立体形状に組み立てた場合に、前記第１のスリット部、前記第２のスリット部、前記第３のスリット部に挿入された前記突出部は、前記第１のスリット部においては、折り返された前記抜け止め部が通過して開かれた状態であり、前記第２のスリット部及び前記第３のスリット部においては、前記抜け止め部が折り返されたままの状態であること、
を特徴とする立体広告物。
【請求項２】
請求項１に記載の立体広告物において、
前記第１のスリット部に前記突出部を挿入すると、前記前面部が湾曲して円弧状の前面部を形成すること、
を特徴とする立体広告物。
【請求項３】
請求項１又は請求項２に記載の立体広告物において、
前記突出部は、複数あり、
前記各突出部が前記第１及び第２のスリット部に挿入された状態で、前記各突出部の先端部分を連結する連結部を備えること、
を特徴とする立体広告物。
【請求項４】
請求項１から請求項３までのいずれか１項に記載の立体広告物において、
前記突出部は、その先端部分に握り手用の開口部を備えること、
を特徴とする立体広告物。
【請求項５】
請求項１から請求項４までのいずれか１項に記載の立体広告物において、
前記立体広告物は、前記前面部と前記背面部との連接辺の延長方向と略平行な方向に複数配置されていること、
を特徴とする立体広告物。
【請求項６】
請求項１から請求項５までのいずれか１項に記載の立体広告物において、
前記立体広告物は、前記立体広告物同士を連結する本体部を挟んで、前記前面部と前記背面部との連接辺の延長方向と略平行な方向に複数配置されていること、
を特徴とする立体広告物。
【発明の詳細な説明】
【技術分野】
【０００１】
本発明は、板状のシートを組み立てることにより立体形状となる立体広告物に関するものである。
【背景技術】
【０００２】
特許文献１は、支持体に脚部が無くとも十分な安定性を有する広告用表示装置を開示している。
しかし、特許文献１の装置は、前面に配置される本体パネルがフラットであるために、宣伝や広告などによって消費者の欲求にはたらきかける訴求効果が乏しいという問題があった。
また、特許文献１の装置は、折り畳み状態から一旦展開して、組み立てる必要があるため、作業が行いづらいという問題があった。
【特許文献１】実用新案登録第３０８９１５７号公報
【発明の開示】
【発明が解決しようとする課題】
【０００３】
本発明の課題は、訴求効果を向上させつつ、簡単に組み立てることができる立体広告物を提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、板状のシートを組み立てることにより立体形状となる立体広告物（１０）であって、前記立体広告物（１０）の前面を形成する前面部（１１）と、前記前面部（１１）の一辺に連接して設けられ、前記立体広告物（１０）の背面を形成し、連接辺（ａ）の延長方向と略垂直な方向の長さが前記前面部（１１）よりも短い背面部（１２）と、前記前面部（１１）の前記背面部（１２）が設けられている辺とは反対側の辺から突出して設けられた突出部（１３）と、前記背面部（１２）に設けられ、前記突出部（１３）が挿入される第１のスリット部（１５）と、前記突出部（１３）の突出方向に沿った端辺を折り返して形成され、前記第１のスリット部（１５）から前記突出部（１３）が抜けることを防止する抜け止め部（１８）と、前記第１のスリット部（１５）に挿入された前記突出部（１３）を、前記立体広告物（１０）の外部に出す第２のスリット部（１６）と、前記第２のスリット部（１６）によって前記立体広告物（１０）の外部に出された前記突出部（１３）を、前記立体広告物（１０）の内部に収納する第３のスリット部（１７）とを備え、当該立体広告物を立体形状に組み立てた場合に、前記第１のスリット部、前記第２のスリット部、前記第３のスリット部に挿入された前記突出部は、前記第１のスリット部においては、折り返された前記抜け止め部が通過して開かれた状態であり、前記第２のスリット部及び前記第３のスリット部においては、前記抜け止め部が折り返されたままの状態であることを特徴とする立体広告物（１０）である。
請求項２の発明は、請求項１に記載の立体広告物（１０）において、前記第１のスリット部（１５）に前記突出部（１３）を挿入すると、前記前面部（１１）が湾曲して円弧状の前面部（１１）を形成すること、を特徴とする立体広告物（１０）である。
請求項３の発明は、請求項１又は請求項２に記載の立体広告物（１０−２）において、前記突出部（１３−１，１３−２）は、複数あり、前記各突出部（１３−１，１３−２）が前記第１及び第２のスリット部（１５，１６）に挿入された状態で、前記各突出部（１３−１，１３−２）の先端部分を連結する連結部（１９）を備えること、を特徴とする立体広告物（１０−２）である。
請求項４の発明は、請求項１から請求項３までのいずれか１項に記載の立体広告物（１０）において、前記突出部（１３）は、その先端部分に握り手用の開口部（１４）を備えること、を特徴とする立体広告物（１０）である。
請求項５の発明は、請求項１から請求項４までのいずれか１項に記載の立体広告物（１０）において、前記立体広告物（１０）は、前記前面部（１１）と前記背面部（１２）との連接辺（ａ）の延長方向と略平行な方向に複数配置されていること、を特徴とする立体広告物（１０）である。
請求項６の発明は、請求項１から請求項５までのいずれか１項に記載の立体広告物（１０−３）において、前記立体広告物（１０）は、前記立体広告物（１０）同士を連結する本体部（２０）を挟んで、前記前面部（１１）と前記背面部（１２）との連接辺（ａ）の延長方向と略平行な方向に複数配置されていること、を特徴とする立体広告物（１０−３）である。
【発明の効果】
【０００５】
本発明によれば、以下のような効果がある。
（１）背面部の長さが前面部よりも短いので、この立体広告物を組み立てることにより、前面部が前方に出っ張るようになり、消費者への訴求効果を向上させることができる。
（２）第１のスリット部に突出部を挿入するだけの簡単な動作で、立体広告物を組み立てることができる。
（３）抜け止め部は、突出部の突出方向に沿った端辺を折り返して形成されているので、簡単な構成で抜け止め部を形成しつつ、確実な抜け止めとすることができる。
【０００６】
（４）前面部が湾曲して円弧状の前面部を形成するので、断面が半円形状の立体広告物を形成することができ、消費者への訴求効果をより向上させることができる。
（５）第１のスリット部に挿入された突出部を、立体広告物の外部に出す第２のスリット部を備えるので、突出部を引っ張りやすくすることができる。
（６）第２のスリット部によって立体広告物の外部に出された突出部を、立体広告物の内部に収納する第３のスリット部を備えるので、突出部を収納することができ、立体広告物の見た目をよくすることができる。
【０００７】
（７）突出部は、複数あり、各突出部が第１及び第２のスリット部に挿入された状態で、各突出部の先端部分を連結する連結部を備えるので、すべての突出部を同時に引っ張ることができ、作業性を向上させることができる。
（８）突出部は、その先端部分に握り手用の開口部を備えるので、突出部が握りやすくなる。
（９）立体広告物は、前面部と背面部との連接辺の延長方向と略平行な方向に複数配置されているので、大型の立体広告物を形成することができる。
（１０）立体広告物は、立体広告物同士を連結する本体部を挟んで、前面部と背面部との連接辺の延長方向と略平行な方向に複数配置されているので、より大型の立体広告物を形成することができ、本体部のスペースも有効利用することができる。
【発明を実施するための最良の形態】
【０００８】
以下、図面等を参照して、本発明の実施形態について、さらに詳しく説明する。
（第１実施形態）
図１は、本発明による立体広告物の第１実施形態を示す展開図である。
立体広告物１０は、板状の紙（厚紙やダンボールなど）を組み立てることにより立体形状となるものであり、前面部１１と、背面部１２と、突出部１３と、開口部１４と、第１のスリット部１５と、第２のスリット部１６と、第３のスリット部１７と、抜け止め部１８などとを備える。
【０００９】
前面部１１は、立体広告物１０の前面を形成する部分である。
背面部１２は、前面部１１の一辺に連接して設けられ、立体広告物１０の背面を形成する部分である。また、背面部１２は、幅方向Ｘの長さが前面部１１よりも短くなっている。
ここで、幅方向Ｘとは、前面部１１と背面部１２との連接辺ａの延長方向Ｙと略垂直な方向をいう。
また、前面部１１と背面部１２とは、別部材となっており、端辺に設けられた糊しろなどを利用して貼り合わされている。
【００１０】
突出部１３は、前面部１１の背面部１２が設けられている辺とは反対側の辺に形成された略台形状のフラップから突出して設けられた矩形状の部分である。
開口部１４は、突出部１３の先端部分に設けられた握り手用の孔である。
【００１１】
第１のスリット部１５は、背面部１２に設けられ、突出部１３が挿入される孔である（挿入方法については後述する）。
第２のスリット部１６は、第１のスリット部１５に挿入された突出部１３を、立体広告物１０の外部に出す孔である。
第３のスリット部１７は、第２のスリット部１６によって立体広告物１０の外部に出された突出部１３を、立体広告物１０の内部に収納する孔である。
また、各スリット部は、突出部１３を折り返して挿入できるように、突出部１３に対応した位置に設けられており、第３のスリット部１７が、最も前面部１１側に設けられ、次に第２のスリット部１６が設けられ、前面部１１から最も離れた位置に第１のスリット部１５が設けられている。
【００１２】
抜け止め部１８は、第１のスリット部１５から突出部１３が抜けることを防止する部分であり、突出部１３の突出方向Ｘに沿った２つの端辺を折り返して形成される。
立体広告物１０の各折り曲げ予定線の端部には、折り曲げ時の紙のストレスを低減させる孔ｂが形成されている。
【００１３】
図２は、立体広告物１０の使用方法を説明する図である。
まず、図２（Ａ）に示すように、展開状態の立体広告物１０を用意する。
ついで、図２（Ｂ）に示すように、矢印Ａの方向に背面部１２を折り返す。
さらに、図２（Ｃ）に示すように、矢印Ｂの方向に突出部１３の抜け止め部１８を内側に折り返す。
そして、図２（Ｄ）に示すように、矢印Ｃの方向に突出部１３を折り返し、第１のスリット部１５に突出部１３を挿入し、第２のスリット部１６から突出部１３を外部に出す。
最後に、握り手用の開口部１４を利用して、図２（Ｅ）に示すように、矢印Ｄの方向に突出部１３を引っ張り、突出部１３の先端部を第３のスリット部１７に収納する。
【００１４】
このとき、内側に折り返されていた突出部１３の抜け止め部１８は、第１のスリット部１５を完全に通過し、第１のスリット部１５による押さえが外れ、抜け止め部１８の後端部分が紙の反力によって開かれ、第１のスリット部１５の端部に引っかかる。これにより、立体広告物１０の内部に突出部１３が完全に固定される。
また、第１のスリット部１５などに突出部１３を挿入し、抜け止め部１８によって突出部１３が完全に固定されると、前面部１１が湾曲して円弧状の前面部１１を形成する。
そして、立体広告物１０を立たせると、図２（Ｆ）に示すような状態となり、立体広告物１０を正面から見ると、図２（Ｇ）に示すような状態となる。
【００１５】
このように、第１実施形態によれば、以下のような効果がある。
（１）背面部１２は、幅方向の長さが前面部１１よりも短いので、この立体広告物１０を組み立てることにより、前面部１１が前方に出っ張るようになり、消費者への訴求効果を向上させることができる。
（２）第１のスリット部１５などに突出部１３を挿入するだけの簡単な動作で、立体広告物１０を組み立てることができる。
【００１６】
（３）立体広告物１０を送付する場合には、折り畳み状態で送付できるので、かさばらずに送付することができる。
（４）立体状態となった立体広告物１０は、看板やポスター、フロアディスプレイなどとして利用することができる。
【００１７】
（５）抜け止め部１８は、突出部１３の突出方向に沿った端辺を折り返して形成されているので、簡単な構成で抜け止め部１８を形成しつつ、確実な抜け止めとすることができる。
（６）前面部１１が湾曲して円弧状の前面部１１を形成するので、断面が半円形状のＲ形状の立体広告物１０を形成することができ、消費者への訴求効果をより向上させることができる。
【００１８】
（７）第１のスリット部１５に挿入された突出部１３を、立体広告物１０の外部に出す第２のスリット部１６を備えるので、突出部１３を引っ張りやすくすることができる。
（８）第２のスリット部１６によって立体広告物１０の外部に出された突出部１３を、立体広告物１０の内部に収納する第３のスリット部１７を備えるので、突出部１３を収納することができ、立体広告物１０の見た目をよくすることができる。
（９）突出部１３は、その先端部分に握り手用の開口部１４を備えるので、突出部１３が握りやすくなる。
【００１９】
（第２実施形態）
図３は、本発明による立体広告物の第２実施形態を示す図である。
なお、上述した第１実施形態と同様な機能を果たす部分には、同一の符号又は末尾に統一した符号を付して、重複する説明や図面を適宜省略する。
第２実施形態の立体広告物１０−２は、第１実施形態のものと異なり、突出部１３（１３−１，１３−２）が２つ形成されているものである。
また、立体広告物１０−２は、各突出部１３−１，１３−２が、第１及び第２のスリット部１５，１６に挿入された状態で、各突出部１３−１，１３−２の先端部分を連結する連結部１９を備える。
【００２０】
このように、第２実施形態によれば、図３（Ａ）に示すような折り畳み状態において、矢印Ｅの方向に連結部１９を引っ張ることによって、２つの突出部１３−１，１３−２を同時に引っ張ることができる。これにより、簡単な動作で図３（Ｂ）の組み立て状態とすることができ、作業員の作業性を向上させることができる。
【００２１】
（第３実施形態）
図４は、本発明による立体広告物の第３実施形態を示す展開図であり、図５は、本発明による立体広告物の第３実施形態の組み立て状態を示す図である。
図４に示すように、第３実施形態の立体広告物１０−３は、第１実施形態や第２実施形態のものよりも大型の立体広告物であり、第１実施形態の立体広告物１０が、立体広告物１０同士を連結する本体部２０を挟んで、鉛直方向Ｙに２つ配置されているものである。
ここで、鉛直方向Ｙとは、前面部１１と背面部１２との連接辺ａの延長方向Ｙと略平行な方向をいう。
そして、この立体広告物１０−３を、第１実施形態と同様の方法で組み立てると、図５（Ａ）に示すような状態となり、立体広告物１０−３を正面から見ると、図５（Ｂ）に示すような状態となる。
【００２２】
このように、第３実施形態によれば、立体広告物１０が、本体部２０を挟んで鉛直方向Ｙに２つ配置されているので、より大型の立体広告物を形成することができ、本体部２０も広告スペースとして有効利用することができる。また、等身大のパネルなどとして利用することもできる。
【００２３】
（変形形態）
以上説明した実施形態に限定されることなく、種々の変形や変更が可能であって、それらも本発明の範囲内である。
（１）立体広告物は、断面が半円形状の立体広告物の例で説明したが、前面部に折り罫（折り線）を形成し、断面が三角形や台形などの多角柱の形状にしてもよい。
（２）突出部１３は、第１〜第３のスリット部１５，１６，１７に挿入する例で説明したが、背面部１２に第２及び第３のスリット部１６，１７を設けずに、突出部１３を第１のスリット部１５のみに挿入してもよい。
【００２４】
（３）抜け止め部１８は、突出部１３の両方の端辺を折り返して形成する例で説明したが、片方の端辺のみを折り返してもよい。また、背面部１２や突出部１３に、別部材のストッパーを取り付けて抜け止め部としてもよい。
（４）自立を安定させるために、前面部１１や背面部１２にダンボール製の足を取り付けてもよい。
【００２５】
（５）立体広告物は、紙で形成する例で説明したが、ＰＥＴやＰＰなどの樹脂材で形成してもよい。
（６）前面部１１と背面部１２とは、別部材である例で説明したが、同一の部材で構成してもよい。
【００２６】
（７）図６は、本発明による立体広告物の変形形態を示す図である。
第３実施形態では、本体部２０を挟んで２つの立体広告物１０を配置する例で説明したが、図６（Ａ）に示すように、本体部２０を挟まないで複数の立体広告物１０を配置してもよい。このようにしても、大型の立体広告物を形成することができる。
また、図６（Ｂ）に示すように、前面部１１に孔３０を設け、その孔３０にフック３１をかけ、そのフック３１に商品３２をぶらさげるようにしてもよい。このようにすれば、広告や宣伝のみならず、商品を陳列させることもできる。
なお、上述した実施形態及び変形形態は、適宜組み合わせて用いることもできるが、詳細な説明は省略する。また、本発明は、以上説明した実施形態や変形形態によって限定されることはない。
【図面の簡単な説明】
【００２７】
【図１】本発明による立体広告物の第１実施形態を示す展開図である。
【図２】立体広告物１０の使用方法を説明する図である。
【図３】本発明による立体広告物の第２実施形態を示す図である。
【図４】本発明による立体広告物の第３実施形態を示す展開図である。
【図５】本発明による立体広告物の第３実施形態の組み立て状態を示す図である。
【図６】本発明による立体広告物の変形形態を示す図である。
【符号の説明】
【００２８】
１０〜１０−３  立体広告物
１１  前面部
１２  背面部
１３，１３−１，１３−２  突出部
１４  開口部
１５  第１のスリット部
１６  第２のスリット部
１７  第３のスリット部
１８  抜け止め部
１９  連結部
２０  本体部
３０  孔
３１  フック
３２  商品
ａ  連接辺
ｂ  孔
【図１】
0005141225.tif 000002
【図２】
0005141225.tif 000003
【図３】
0005141225.tif 000004
【図４】
0005141225.tif 000005
【図５】
0005141225.tif 000006
【図６】
0005141225.tif 000007